【事件の表示】
　平成１１年特許願第２４６８４８号「スマート・カードのメモリにデータ・オブジェクトを記憶する方法」拒絶査定不服審判事件〔平成１２年　５月３０日出願公開、特開２０００−１４８５６７〕について、次のとおり審決する。
【結　論】
　本件審判の請求は、成り立たない。
【理　由】
１．手続の経緯
　本願は、平成１１年９月１日（パリ条約による優先権主張１９９８年９月２日、独国）の出願であって、平成１６年１１月２６日付で拒絶査定がなされ（発送日同年１１月３０日）、これに対し、平成１７年２月２１日に拒絶査定不服審判の請求がなされるとともに、同日付で手続補正がなされたものである。
　
２．平成１７年２月２１日付の手続補正についての補正却下の決定
［補正却下の決定の結論］
　平成１７年２月２１日付の手続補正を却下する。
［理由］
（１）平成１７年２月２１日付の手続補正書により補正された本願発明
　本件補正による補正前の特許請求の範囲は、下記のとおりであった。
「【請求項１】
　スマート・カード上のメモリにデータ・オブジェクトを記憶するための方法にして、
（ａ）少なくとも１つのアクセス条件がそれぞれに割り振られる少なくとも１つのデータ・メモリ・エリア（１１０、１２０）を、前記スマート・カードの1つのメモリ（２００）に定義するステップ、
（ｂ）或るアクセス条件を備えた記憶されるべきデータを受け取るステップ、
（ｃ）前記記憶されるべきデータからデータ・オブジェクト（２１０、２２０、２３０、２４０）を定義するステップ、
（ｄ）前記データ・オブジェクトが割り振られるアプリケーション・プログラム（３１０、３２０、３３０）に関係なく、又は、アプリケーション・プログラム及びスマート・カード・ユーザ（４００）に関係なく、同じアクセス条件を持ったすべてのデータ・オブジェクトが、対応するアクセス条件を割り振られた１つの同じデータ・メモリ・エリアに記憶されるように、前記データ・メモリ・エリア（１１０、１２０）の１つに前記データ・オブジェクトを記憶するステップ、
　を含むことを特徴とする方法。
【請求項２】
　１つのメモリ内にデータ・メモリ・エリア（１１０、１２０）を有するスマート・カード（１００）にして、
　アプリケーション・プログラム（３１０、３２０、３３０）に関係なく、又は、アプリケーション・プログラム及びスマート・カード・ユーザ（４００）に関係なく、同じアクセス条件を持ったすべてのデータ・オブジェクトが、対応するアクセス条件を割り振られた１つの同じデータ・メモリ・エリアに記憶されていることを特徴とする、スマート・カード。
【請求項３】
　前記データ・オブジェクトは前記記憶されるべきデータのセキュリティレベルに従って暗号手順によって全体的に又は部分的に保護されることを特徴とする請求項２に記載のスマート・カード。
【請求項４】
　前記記憶されるべきデータの前記アクセス条件及びセキュリティレベルは自由に選択可能な方法で設定されることを特徴とする請求項２または３に記載のスマート・カード。
【請求項５】
スマート・カードのシリアル番号、コード、及びパスワードが記憶されるメモリ・エリアを更に有することを特徴とする請求項２〜４のいずれか１項記載のスマート・カード。
【請求項６】
アクセス条件が、パスワードの照会を伴うログインであることを特徴とする請求項２〜５のいずれか１項記載のスマート・カード。
【請求項７】
　請求項２〜６のいずれか１項記載のスマート・カード（１００）と、アプリケーション・プログラム（３１０、３２０、３３０）又はスマート・カード・ユーザ（４００）との間のコミュニケーションのためのアプリケーション・インターフェース（５００）。」
　
　本件補正により、特許請求の範囲は、下記のように補正された。
「【請求項１】
　スマート・カード上のメモリにデータ・オブジェクトを記憶するための方法にして、
（ａ）少なくとも１つのアクセス条件がそれぞれに割り振られる少なくとも第１のデータ・メモリ・エリア及び第２のデータ・メモリ・エリア（１１０、１２０）を、前記スマート・カードの1つのメモリ（２００）に定義するステップであって、前記第１のデータ・メモリ・エリアは、一のユーザによって且つアプリケーション・プログラムに関係なく複数のアプリケーションによって、同じアクセス条件でアクセスされ、前記第２のメモリ・エリアは、アプリケーション・プログラム及びスマート・カード・ユーザ（４００）に関係なく複数のユーザ及び複数のアプリケーションによって同じアクセス条件でアクセスされる、ステップ、
（ｂ）或るアクセス条件を備えた記憶されるべきデータを受け取るステップ、
（ｃ）前記記憶されるべきデータからデータ・オブジェクト（２１０、２２０、２３０、２４０）を定義するステップ、
（ｄ）前記データ・オブジェクトを前記第１のデータ・メモリ・エリア又は前記第２のデータ・メモリ・エリアに記憶するステップ、
　を含むことを特徴とする方法。
【請求項２】
　１つのメモリ内に、アクセス条件がそれぞれに割り振られた少なくとも第１のデータ・メモリ・エリアと第２のデータ・メモリ・エリア（１１０、１２０）を有するスマート・カード（１００）にして、
　前記第１のデータ・メモリ・エリアに記憶されたデータ・オブジェクトは、一のユーザによって且つアプリケーション・プログラム（３１０、３２０、３３０に関係なく複数のアプリケーションによって、同じアクセス条件でアクセスされ、及び、前記第２のデータ・メモリ・エリアに記憶されたデータ・オブジェクトは、アプリケーション・プログラム及びスマート・カード・ユーザ（４００）に関係なく複数のユーザ及び複数のアプリケーションによって同じアクセス条件でアクセスされることを特徴とする、スマート・カード。
【請求項３】
　前記第１のデータ・メモリ・エリアに記憶されたデータ・オブジェクトは、暗号手順によって全体的に又は部分的に保護されることを特徴とする請求項２に記載のスマート・カード。
【請求項４】
　前記記憶されるべきデータの前記アクセス条件及びセキュリティレベルは自由に選択可能な方法で設定されることを特徴とする請求項２または３に記載のスマート・カード。
【請求項５】
スマート・カードのシリアル番号、コード、及びパスワードが記憶されるメモリ・エリアを更に有することを特徴とする請求項２〜４のいずれか１項記載のスマート・カード。
【請求項６】
前記第１のデータ・メモリ・エリアに記憶されたデータ・オブジェクトのアクセス条件が、パスワードの照会を伴うログインであることを特徴とする請求項３項記載のスマート・カード。
【請求項７】
　請求項２〜６のいずれか１項記載のスマート・カード（１００）と、アプリケーション・プログラム（３１０、３２０、３３０）又はスマート・カード・ユーザ（４００）との間のコミュニケーションのためのアプリケーション・インターフェース装置（５００）。」（ここで、請求項２の「アプリケーション・プログラム（３１０、３２０、３３０に関係なく」という記載は、「アプリケーション・プログラム（３１０、３２０、３３０
）
　
　上記補正は、旧請求項１の発明特定事項である「データ・メモリ・エリア」について、「第１のデータ・メモリ・エリアと第２のデータ・メモリ・エリア」及び「前記第１のデータ・メモリ・エリアは、一のユーザによって且つアプリケーション・プログラムに関係なく複数のアプリケーションによって、同じアクセス条件でアクセスされ、前記第２のメモリ・エリアは、アプリケーション・プログラム及びスマート・カード・ユーザ（４００）に関係なく複数のユーザ及び複数のアプリケーションによって同じアクセス条件でアクセスされる」と限定するものである。
　さらに、旧請求項２の発明特定事項である「データ・メモリ・エリア」について、「アクセス条件がそれぞれに割り振られた少なくとも第１のデータ・メモリ・エリアと第２のデータ・メモリ・エリア」と限定し、発明特定事項である「アプリケーション・プログラム（３１０、３２０、３３０）に関係なく、又は、アプリケーション・プログラム及びスマート・カード・ユーザ（４００）に関係なく、同じアクセス条件を持ったすべてのデータ・オブジェクトが、対応するアクセス条件を割り振られた１つの同じデータ・メモリ・エリアに記憶されていること」について、「前記第１のデータ・メモリ・エリアに記憶されたデータ・オブジェクトは、一のユーザによって且つアプリケーション・プログラム（３１０、３２０、３３０に関係なく複数のアプリケーションによって、同じアクセス条件でアクセスされ、及び、前記第２のデータ・メモリ・エリアに記憶されたデータ・オブジェクトは、アプリケーション・プログラム及びスマート・カード・ユーザ（４００）に関係なく複数のユーザ及び複数のアプリケーションによって同じアクセス条件でアクセスされること」と限定するものである。
　また、上記補正は、旧請求項３の発明特定事項である「データ・オブジェクト」について、「第１のデータ・メモリ・エリアに記憶された」との限定を付加し、旧請求項６の発明特定事項である「アクセス条件」について、「第１のデータ・メモリ・エリアに記憶されたデータ・オブジェクトの」との限定を付加しするものである。
　
　したがって、本件補正は、特許請求の範囲の減縮を目的とするものに該当する。
　
　そこで、下記とおり認定した本件補正後の請求項２に記載された発明（以下、「本願補正発明」という。）が特許出願の際独立して特許を受けることができるものであるかについて以下に検討する。
　
「１つのメモリ内に、アクセス条件がそれぞれに割り振られた少なくとも第１のデータ・メモリ・エリアと第２のデータ・メモリ・エリア（１１０、１２０）を有するスマート・カード（１００）にして、
　前記第１のデータ・メモリ・エリアに記憶されたデータ・オブジェクトは、一のユーザによって且つアプリケーション・プログラム（３１０、３２０、３３０）に関係なく複数のアプリケーションによって、同じアクセス条件でアクセスされ、及び、前記第２のデータ・メモリ・エリアに記憶されたデータ・オブジェクトは、アプリケーション・プログラム及びスマート・カード・ユーザ（４００）に関係なく複数のユーザ及び複数のアプリケーションによって同じアクセス条件でアクセスされることを特徴とする、スマート・カード。」（「アプリケーション・プログラム（３１０、３２０、３３０に関係なく」という記載は、「アプリケーション・プログラム（３１０、３２０、３３０
）
　
（２）引用発明の認定
　原査定の拒絶の理由に引用された特開平９−１６７３７号公報（以下、「引用例」という。）には、図面とともに、以下（ア）〜（カ）の事項が記載されている。
　　　
（ア）
「【０００１】
【産業上の利用分野】本発明は、内部にメモリ等を含むＩＣ（集積回路）を備え、一つの外部機器との間で無線通信によりデータのやり取りを行い、他の外部機器との間で機械的接触によりデータのやり取りを行うように構成された、複合形の情報記憶カード（ＩＣカード）に関するものである。」
　
（イ）
「【００１０】そこで、例えば特公平４−１６８３１号公報に開示されているように、非接触式ＩＣカードの機能と接触式ＩＣカードの機能とを複合化し、両方式の不利な点を互いに補うようにした複合形のＩＣカードも提案されている。そして、上記公報の複合形ＩＣカードは、非接触式のＩＣカード機能と接触式ＩＣカードの機能とで、１つのメモリを共用するように構成されており、これによって装置の構成を簡略化している。
【００１１】
【発明が解決しようとする課題】上記従来の複合形ＩＣカードによれば、メモリ内に様々なデータを記憶させておくことにより、例えば、ドアの入退管理に使用する場合には非接触式の機能（無線通信）を用い、クレジットカードや銀行カード等として使用する場合には接触式の機能（接触通信）を用いる、といった具合いに使い分けをすることができる。
【００１２】しかしながら、上記従来の複合形ＩＣカードでは、両機能において、少なくともメモリを共用しているため、例えば非接触式の機能を用いる場合に、外部機器側から様々なデータ要求を行うことで、メモリ内に記憶されたデータの内、高いセキュリティ性が必要なデータまでもがアンテナから送信されてしまう可能性がある。
【００１３】従って、上記従来の複合形ＩＣカードでは、使い勝手は向上させることはできても、高いセキュリティ性を維持することはできない。尚、非接触式の機能と接触式の機能とで、メモリを別個に設けることも考えられるが、この場合には、ＩＣカード内の部品点数が増加してしまう上に、製造の手間やコストが増してしまう。
【００１４】本発明は、このような問題に鑑みなされたものであり、高いセキュリティ性と、離れて通信できる使い易さとを兼ね備えた情報記憶カードを提供することを目的としている。
【００１５】
【課題を解決するための手段】上記目的を達成するためになされた請求項１に記載の本発明は、図１に例示するように、第１の外部機器との間で無線通信を行うための第１の通信インタフェースと、第２の外部機器との間で機械的接触により通信を行うための第２の通信インタフェースと、前記各外部機器からのデータ要求に対して出力すべき応答データを記憶するメモリと、前記第１の通信インタフェースにより前記第１の外部機器からのデータ要求が受信されると、該データ要求に応じた応答データを前記メモリから読み出し、該読み出した応答データを前記第１の通信インタフェースに送信させる第１の応答制御手段と、前記第２の通信インタフェースにより前記第２の外部機器からのデータ要求が受信されると、該データ要求に応じた応答データを前記メモリから読み出し、該読み出した応答データを前記第２の通信インタフェースに送信させる第２の応答制御手段と、を１枚のカード内に備えた情報記憶カードにおいて、前記メモリには、前記応答データを記憶するための記憶領域が、予め複数の領域に分けて設けられており、更に、前記第１の応答制御手段が前記メモリから応答データを読み出す際に、該第１の応答制御手段が応答データを読み出すことのできる前記メモリ内の記憶領域を、予め定められた特定の記憶領域だけに制限する読出制限手段を備えたこと、を特徴とする情報記憶カードを要旨としている。」
　
（ウ）
「【００４２】
【実施例】以下、本発明が適用された実施例のＩＣカードについて説明する。まず、図２は第１実施例のＩＣカード２の内部構成を表すブロック図であり、図３はＩＣカード２の外観図である。また、図４及び図５は、夫々、ＩＣカード２の使用状態を表す説明図である。
【００４３】本実施例のＩＣカード２は、例えば企業の各従業員に夫々携帯されるものである。そして、図４に例示するように、所定のドア４の入退管理システムに使用され、ドア４の付近に設けられた質問機６との間でマイクロ波（以下、単に電波ともいう）による無線通信を行う。また更に、本実施例のＩＣカード２は、図５に例示するように、従業員が企業内で買物を行う場合にクレジットカードとしても使用され、クレジットシステムの端末機であるリーダ／ライタ８に挿入されて、そのリーダ／ライタ８との間で接触式のデータ通信を行う。
【００４４】図２及び図３に示すように、ＩＣカード２は、プラスチック製のカード本体１０の内部に、当該ＩＣカード２の制御を司る電子回路を１チップ化したカスタムＩＣ（専用ＩＣ）１２と、質問機６から電源供給を受けるための電源用アンテナ１４と、電源用アンテナ１４で受けた質問機６からの電波を検波して、その検波電圧を第１の作動電圧ＲＳとして出力するダイオード１６と、質問機６との間でデータのやり取りを行うための送受信アンテナ１８と、送受信アンテナ１８で受信された受信信号を検波するダイオード２０と、リーダ／ライタ８から電源供給を受けるための電源用コイル２２と、リーダ／ライタ８との間でデータのやり取りを行うための受信用静電プレート２４ａ，２４ｂ及び送信用静電プレート２６ａ，２６ｂと、電源用アンテナ１４及び電源用コイル２２を介して得られた電源電圧（後述する作動電圧Ｖｃｃ）を安定させるためのコンデンサ２８と、を備えている。尚、図３においては、ダイオード１６，２０及びコンデンサ２８は省略されている。
【００４５】そして、図２に示すように、カスタムＩＣ１２は、質問機６及びリーダ／ライタ８との間で通信を行うための様々な制御処理を実行するＣＰＵ３０と、質問機６及びリーダ／ライタ８からのデータ要求に対して出力すべき応答データを記憶する不揮発性メモリ（以下、単にメモリという）３２と、当該ＩＣカード２がリーダ／ライタ８に挿入されたときに電源用コイル２２に起電される正弦波電圧を整流して、その整流後の電圧を第２の作動電圧ＩＳとして出力するダイオード３４と、を備えている。」
　
（エ）
「【００５１】一方、本実施例のＩＣカード２において、メモリ３２内の記憶エリア（記憶領域）は、図６に示すように、記憶するデータの重要度（セキュリティレベル）に応じて複数（本実施例では４つ）のエリアに分けられている。そして、メモリ３２の第１エリアには、当該ＩＣカード２を携帯する者の識別コード（ＩＤデータ）として、従業員番号が記憶され、第２エリアには、セキュリティレベルが低いデータとして、当該ＩＣカード２が使用可能な質問機の番号やリーダ／ライタの番号を表すデータが記憶され、第３エリアには、セキュリティレベルが中程度のデータとして、クレジットカードの与信枠やクレジットカードの利用累積額を表すデータが記憶され、第４エリアには、セキュリティレベルが最も高いデータとして、クレジット番号を表すデータが記憶されている。」
　
（オ）
「次に、このように構成されたＩＣカード２のハードウェア上の動作について、質問機６及びリーダ／ライタ８との通信手順と共に、図７及び図８を参照しながら説明する。尚、図７は、ＩＣカード２と質問機６との通信手順を表す説明図であり、図８は、ＩＣカード２とリーダ／ライタ８との通信手順を表す説明図である。また、以下の説明において、（）内のＪから始まる番号は、図７及び図８における状態を示している。
【００５３】まず、ＩＣカード２がドア４の入退管理システムに用いられた場合について説明する。図４に示すように、質問機６は、電波を常時送出しているか、或いは、人の接近を検出すると電波を送出するように構成されており（Ｊ１）、ＩＣカード２を携帯した従業員が質問機６の前に立つと（Ｊ２）、質問機６からの電波が電源用アンテナ１４によって受信される。
【００５４】すると、電源用アンテナ１４で受信された電波は、ダイオード１６によって第１の作動電圧ＲＳに変換され、その第１の作動電圧ＲＳが発振器３８及び受信アンプ４０に供給される。また、第１の作動電圧ＲＳは、パワー制御部３６のダイオード４６を介して、ＣＰＵ３０へ作動電圧Ｖｃｃとして供給される。
【００５５】そして、第１の作動電圧ＲＳが大きくなって、上記作動電圧Ｖｃｃが動作しきい値Ｖｔｈ以上になると、パワー制御部３６の立上り検出器５０からＣＰＵ３０へ、リセット信号ＲＳＴが出力され、これによって、ＣＰＵ３０は初期状態から動作を開始する（Ｊ３）。また、この場合には、第２の作動電圧ＩＳが０Ｖであり、第１の作動電圧ＲＳの方が大きいため、パワー制御部３６のコンパレータ５２からは、ＣＰＵ３０へハイレベルのセレクト信号ＳＥＬが出力される。よって、ＣＰＵ３０は、発振器３８からの第１クロック信号ＣＫ１を自己の動作クロックとして、無線通信モードの処理実行を行い、これによって後述するリモート処理が実行される（Ｊ４）。
【００５６】このリモート処理の実行が開始されることにより、ＩＣカード２は、まず、送受信アンテナ１８からＩＤデータとしての従業員番号を送信する（Ｊ５）。尚、無線通信モードでの送信動作は、ＣＰＵ３０が、第１出力ポートＤｏｕｔ１から送信データを出力することによって行われる。すると、送信データに応じて送受信アンテナ１８に対する負荷が変化するため、質問機６からの電波の反射状態が変化する。よって、質問機６は、その反射状態の変化を検出することにより、ＩＣカード２からの送信データを受信する。
【００５７】そして、質問機６は、ＩＣカード２からの従業員番号を受信すると、ＩＣカード２へ、そのカードが使用可能な質問機の番号を表すデータを要求するための、データ読み出しコマンドを送信する（Ｊ６）。尚、このデータ読み出しコマンドは、取得したいデータと、そのデータが格納されているメモリ３２内の記憶エリアとを指定するものである。
【００５８】すると、そのデータ読み出しコマンドは、ＩＣカード２の送受信アンテナ１８によって受信され、受信アンプ４０を介してＣＰＵ３０の第１入力ポートＤｉｎ１に入力される。そして、ＩＣカード２側において、ＣＰＵ３０は、メモリ３２から使用可能な質問機の番号を表すデータを読み出し（Ｊ７）、その読み出したデータを、ＩＤデータの場合と全く同様に、送受信アンテナ１８から送信させる（Ｊ８）。
【００５９】質問機６は、ＩＣカード２から送信された使用可能な質問機の番号を表すデータを受信すると、今度は、ＩＣカード２へ、そのカードが自己とアクセスしたこと等を表すアクセス履歴データと、そのアクセス履歴データをＩＣカード２のメモリ３２に書き込ませるためのデータ書き込みコマンドとを送信する（Ｊ９）。尚、このデータ書き込みコマンドは、データを書き込むべきメモリ３２内の記憶エリアを指定するものである。
【００６０】すると、そのアクセス履歴データ及びデータ書き込みコマンドは、再びＩＣカード２の送受信アンテナ１８によって受信され、ＩＣカード２は、受信したアクセス履歴データをメモリ３２に書き込んだ後（Ｊ１０）、その書き込んだデータを質問機６へベリファイデータとして送信する（Ｊ１１）。
【００６１】そして、質問機６は、ＩＣカード２からのベリファイデータを受信して、そのデータと自己が送信したアクセス履歴データとを比較することにより、ＩＣカード２にデータが正しく書き込まれたことを確認し、その後、ＩＣカード２へ、通信終了を示すスリープコマンドを送信する（Ｊ１２）。
【００６２】ＩＣカード２では、質問機６からのスリープコマンドを受信すると、ＣＰＵ３０が処理の実行を終了し（Ｊ１３）、これによって、ＩＣカード２と質問機６との通信が終了する。尚、質問機６は、上記全ての通信が無事完了し、且つ、ＩＣカード２からの従業員番号がドア４を通過できる者として登録されており、ＩＣカード２からの使用可能な質問機の番号が自己の番号と一致しており、更に、ＩＣカード２へ送信したアクセス履歴データとＩＣカード２から返送されてきたベリファイデータとが一致していると判定すると、ドア４からの入退室が可能であると判断して（Ｊ１４）、ドア４のロックを解除する（Ｊ１５）。一方、上記条件が１つでも欠落した場合には、ドア４をロックしたままとして、そのＩＣカード２を携帯する者の通過を禁止する（Ｊ１６）。
【００６３】このように、ＩＣカード２がドア４の入退管理システムに用いられた場合には、当該ＩＣカード２は、質問機６からの電波を電源用アンテナ１４で受けることによって自己動作用の電力を取得すると共に、送受信アンテナ１８を介して、質問機６との間で無線通信を行う。
【００６４】次に、ＩＣカード２が、クレジットカードとして用いられた場合について説明する。まず、図５に示すように、リーダ／ライタ８の内部には、ＩＣカード２が挿入されたときに、ＩＣカード２側の電源用コイル２２、受信用静電プレート２４ａ，２４ｂ、及び送信用静電プレート２６ａ，２６ｂに夫々対向配置される、電力供給用コイル６０、送信用静電プレート６２ａ，６２ｂ、及び受信用静電プレート６４ａ，６４ｂが設けられている。
【００６５】そして、ＩＣカード２を、リーダ／ライタ８の挿入口８ａに挿入すると（Ｊ２１）、リーダ／ライタ８側の電力供給用コイル６０が作動し、ＩＣカード２の電源用コイル２２に、電磁結合によって正弦波電圧が起電される（Ｊ２２）。すると、電源用コイル２２に起電された正弦波電圧は、ダイオード３４によって第２の作動電圧ＩＳに変換され、その第２の作動電圧ＩＳは、入出力部４４に供給されると共に、パワー制御部３６のダイオード４８を介して、ＣＰＵ３０へ作動電圧Ｖｃｃとして供給される。また、電源用コイル２２に起電された正弦波電圧は、クロック用アンプ４２により波形整形されて、ＣＰＵ３０へ第２クロック信号ＣＫ２として入力される。
【００６６】そして、上記作動電圧Ｖｃｃが動作しきい値Ｖｔｈ以上になると、パワー制御部３６の立上り検出器５０からＣＰＵ３０へ、リセット信号ＲＳＴが出力され、これによって、ＣＰＵ３０は初期状態から動作を開始する（Ｊ２３）。また、この場合には、第１の作動電圧ＲＳが０Ｖであり、第２の作動電圧ＩＳの方が大きいため、パワー制御部３６のコンパレータ５２からは、ＣＰＵ３０へロウレベルのセレクト信号ＳＥＬが出力される。よって、ＣＰＵ３０は、クロック用アンプ４２からの第２クロック信号ＣＫ２を自己の動作クロックとして、接触通信モードの処理実行を行い、これによって後述するＩＣカード処理が実行される（Ｊ２４）。
【００６７】このＩＣカード処理の実行が開始されることにより、ＩＣカード２は、まず、送信用静電プレート２６ａ，２６ｂから、通信速度やメモリ３２の容量等、自己の仕様を表すＡＴＲ（アンサ・ツー・リセット）を送信する（Ｊ２５）。ここで、接触通信モードでの送信動作は、ＣＰＵ３０が、第２出力ポートＤｏｕｔ２から送信データを出力し、入出力部４４の差動アンプ４４ｂが、その送信データに応じて送信用静電プレート２６ａ，２６ｂ間に電位差を発生させることによって行われる。すると、リーダ／ライタ８側の受信用静電プレート６４ａ，６４ｂ間にも、送信用静電プレート２６ａ，２６ｂとのコンデンサ結合によって、ＩＣカード２からの送信データに応じた電位差が発生するため、リーダ／ライタ８は、受信用静電プレート６４ａ，６４ｂ間の電位差を検出することにより、ＩＣカード２からの送信データを受信する。
【００６８】そして、リーダ／ライタ８は、ＩＣカード２からのＡＴＲを受信すると、ＩＣカード２へ、従業員番号及びそのカードが使用可能なリーダ／ライタの番号を表すデータを要求するための、データ読み出しコマンドを送信する（Ｊ２６）。尚、このデータ読み出しコマンドも、ドア４の入退管理の場合と同様に、取得したいデータと、そのデータが格納されているメモリ３２内の記憶エリアとを指定するものである。また、リーダ／ライタ８側の送信動作は、上述したＩＣカード２側の送信動作と全く同様に、送信用静電プレート６２ａ，６２ｂ間に送信データに応じた電位差を発生させることによって行われる。
【００６９】すると、ＩＣカード２側の受信用静電プレート２４ａ，２４ｂ間には、上記送信用静電プレート６２ａ，６２ｂとのコンデンサ結合によって、リーダ／ライタ８からの送信データに応じた電位差が発生するため、ＩＣカード２側では、その電位差を入出力部４４の差動アンプ４４ａによってデジタル信号に変換する。そして、そのデジタル信号が受信信号としてＣＰＵ３０の第２入力ポートＤｉｎ２に入力される。
【００７０】そして、ＩＣカード２側において、ＣＰＵ３０は、メモリ３２から従業員番号を表すデータと使用可能なリーダ／ライタの番号を表すデータを読み出し（Ｊ２７）、その読み出したデータを、ＡＴＲの場合と全く同様に、送信用静電プレート２６ａ，２６ｂから送信させる（Ｊ２８）。
【００７１】すると、リーダ／ライタ８は、ＩＣカード２から送信されたデータに基づいて、そのＩＣカード２がクレジットカードとして使用可能か否かを判定し（Ｊ２９）、使用不能と判定した場合には処理を中断するが（Ｊ３０）、使用可能と判定した場合には、ＩＣカード２へ、セキュリティ解除のコマンドと、暗証番号とを送信する（Ｊ３１）。尚、セキュリティ解除のコマンドとは、ＩＣカード２に対して、メモリ３２の第３エリア及び第４エリアへのアクセス（読み書き）許可を要求するものであり、また、暗証番号とは、リーダ／ライタ８とＩＣカード２との間で予め決められた相互認証のための番号である。
【００７２】ＩＣカード２は、受信用静電プレート２４ａ，２４ｂを介して、リーダ／ライタ８からのセキュリティ解除のコマンドと暗証番号とを受信すると、受信した暗証番号と自己の暗証番号とを比較して、一致していれば、メモリ３２の第３エリア及び第４エリアに対するアクセスを可能とし（セキュリティを解除し）、リーダ／ライタ８へ、セキュリティを解除した旨を示す解除確認応答を送信する（Ｊ３２，Ｊ３３）。
【００７３】そして、リーダ／ライタ８は、ＩＣカード２からの解除確認応答を受信すると、ＩＣカード２へ、メモリ３２の第３エリア及び第４エリアに記憶されているクレジット番号、与信枠、及び利用累積額を表すデータを要求するための、データ読み出しコマンドを送信する（Ｊ３４）。
【００７４】そのコマンドをＩＣカード２が受信すると、ＩＣカード２側において、ＣＰＵ３０は、メモリ３２からクレジット番号、与信枠、及び利用累積額を表すデータを読み出し（Ｊ３５）、その読み出したデータを、送信用静電プレート２６ａ，２６ｂから送信する（Ｊ３６）。
【００７５】すると、リーダ／ライタ８は、ＩＣカード２からのデータに基づいて、クレジットが可能か否かを判定し（Ｊ３７）、クレジット不能と判定した場合には処理を中断するが（Ｊ３８）、クレジット可能と判定した場合には、今回のクレジット利用額の入力やホストマシンとのやり取りを行う等して、所定のクレジット処理を実行する。そして、その後、ＩＣカード２へ、最新の利用累積額を表すデータと、その利用累積額データをＩＣカード２のメモリ３２に書き込ませるためのデータ書き込みコマンドとを送信する（Ｊ３９）。尚、このデータ書き込みコマンドも、ドア４の入退管理の場合と同様に、データを書き込むべきメモリ３２内の記憶エリアを指定するものである。
【００７６】そして、ＩＣカード２は、リーダ／ライタ８からのデータを受信して、最新の利用累積額データをメモリ３２に書き込んだ後（Ｊ４０）、データの書き込みが終了したことを示す、書き込み終了応答を送信する（Ｊ４１）。リーダ／ライタ８は、ＩＣカード２からの書き込み終了応答を受信して、ＩＣカード２にデータが書き込まれたことを確認すると、ＩＣカード２へ、通信終了を示すスリープコマンドを送信する（Ｊ４２）。そして、ＩＣカード２では、リーダ／ライタ８からのスリープコマンドを受信すると、ＣＰＵ３０が処理の実行を終了し（Ｊ４３）、これによって、ＩＣカード２とリーダ／ライタ８との通信が終了する。」
　
（カ）
「【００７８】次に、当該ＩＣカード２が質問機６及びリーダ／ライタ８との間で図７及び図８に示したような通信を行うために、ＣＰＵ３０で実行される制御処理について、図９〜図１１に示すフローチャートを用いて説明する。尚、図９は、ＣＰＵ３０が実行する全体処理を表すフローチャートである。そして、図１０は、その全体処理の中で実行されるリモート処理を表すフローチャートであり、図１１は、全体処理の中で実行されるＩＣカード処理を表すフローチャートである。
（中略）
【００８２】ここで、第１の応答制御手段としてのリモート処理（Ｓ１４０）は、図１０に示す如く実行される。即ち、このリモート処理の実行が開始されると、まず、Ｓ２１０にて、質問機６からのデータ読み出しコマンド或いはデータ書き込みコマンドを既に受信したか否かを示すウエイトフラグに、コマンドを未だ受信していない旨を示す「０」をセットする。
【００８３】そして、続くＳ２２０にて、ウエイトフラグに「１」がセットされているか否かを判断し、「１」がセットされていないと判断した場合には、当該ＩＣカード２が質問機６からの電波を最初に受けた状態であり、これが質問機６からのＩＤデータの送信要求であるとみなして、Ｓ２３０に進む。
【００８４】Ｓ２３０では、メモリ３２の第１エリアから、ＩＤデータとしての従業員番号を読み出し、その読み出したＩＤデータを第１出力ポートＤｏｕｔ１から出力する。すると、図７のＪ５で示したように、その従業員番号が質問機６へ送信される。
【００８５】そして、Ｓ２３０の処理を実行した場合、或いはＳ２２０でウエイトフラグに「１」がセットされていると判断した場合には、Ｓ２４０に移行して、質問機６からのコマンドを受信したか否かを判断する。そして、コマンドを受信していないと判断した場合には、Ｓ２２０に戻ってＳ２２０〜Ｓ２４０の処理を繰り返し、Ｓ２４０にて、質問機６からのコマンドを受信したと判断した場合には、Ｓ２５０に進む。
【００８６】Ｓ２５０では、今回受信したコマンドの種別を判断し、そのコマンドが、図７のＪ６に示したデータ読み出しコマンドであると判断するか、或いは図７のＪ９に示したデータ書き込みコマンドであると判断した場合には、Ｓ２６０に進んで、ウエイトフラグに「１」をセットする。
【００８７】そして、続くＳ２７０にて、受信したコマンドによって指定されたメモリ３２の記憶エリアが、読み書き可能であるか否かを判断し、読み書き可能ではない場合、即ち、受信したデータ読み出しコマンド或いはデータ書き込みコマンドによって、上述したＳ１３０で許可されていない第３エリア及び第４エリアが指定された場合には、Ｓ２２０へ戻る。
【００８８】一方、Ｓ２７０にて、受信したコマンドによって指定されたメモリ３２の記憶エリアが、読み書き可能であると判断した場合、即ち、指定された記憶エリアが第１エリア或いは第２エリアであった場合には、Ｓ２８０に進んで、受信したコマンドがデータ読み出しコマンドであるか否かを判断し、データ読み出しコマンドであると判断した場合には、Ｓ２９０に進む。
【００８９】そして、Ｓ２９０では、受信したデータ読み出しコマンドによって指定されたメモリ３２の記憶エリアから、そのコマンドによって指定されたデータを読み出し、続くＳ３００にて、その読み出したデータを第１出力ポートＤｏｕｔ１から出力する。すると、図７のＪ８で示したように、読み出したデータが質問機６へ送信される。そして、Ｓ３００の処理を実行した後、Ｓ２２０に戻る。
【００９０】一方、Ｓ２８０にて、受信したコマンドがデータ読み出しコマンドではないと判断した場合、即ちデータ書き込みコマンドであると判断した場合には、Ｓ３１０に移行する。そして、Ｓ３１０では、受信したデータ書き込みコマンドによって指定されたメモリ３２の記憶エリアに、そのコマンドと共に送信されてきたデータを書き込み、その後、Ｓ２９０に移行する。尚、Ｓ３１０からＳ２９０に移行した場合には、Ｓ２９０にて、Ｓ３１０で書き込んだデータを読み出し、続くＳ３００にて、その読み出したデータを送信する。そして、これによって、図７のＪ１１に示したように、ＩＣカード２から質問機６へ、ベリファイデータが送信されることとなる。
【００９１】一方更に、Ｓ２５０にて、今回受信したコマンドが図７のＪ１２に示したスリープコマンドであると判断した場合には、Ｓ３２０に移行して、当該ＣＰＵ３０の動作を終了する。そして、これにより、リモート処理の実行が終了する。つまり、このリモート処理では、まず、質問機６へＩＤデータとしての従業員番号を送信し（Ｓ２３０）、質問機６からのデータ読み出しコマンドを受信すると（Ｓ２８０：ＹＥＳ）、そのコマンドによって指定されたメモリ３２の記憶エリアから、そのコマンドによって指定されたデータを読み出し（Ｓ２９０）、その読み出したデータを質問機６へ送信するようにしている（Ｓ３００）。また、質問機６からのデータ書き込みコマンドを受信した場合には（Ｓ２８０：ＮＯ）、そのコマンドによって指定されたメモリ３２の記憶エリアに、そのコマンドと共に送られてきたデータを書き込むようにしている（Ｓ３１０）。そして、質問機６からのスリープコマンドを受信すると、通信動作を終了するようにしている（Ｓ３２０）。
【００９２】そして、このような処理実行によって、図７に示した質問機６との通信を実現している。但し、このリモート処理が実行される際には、予め上述のＳ１３０の処理によって、データをアクセスできるメモリ３２の記憶エリアが、セキュリティレベルの低いデータを記憶した第１エリア及び第２エリアだけに制限されている。よって、仮に、質問機６側から、メモリ３２の第３エリア及び第４エリアに対するアクセスを要求するコマンドが送信された場合には、メモリ３２へのアクセスは禁止される（Ｓ２７０：ＮＯ）。
【００９３】次に、第２の応答制御手段としてのＩＣカード処理（Ｓ１６０）は、図１１に示す如く実行される。即ち、このＩＣカード処理の実行が開始されると、まず、Ｓ４１０にて、データのアクセス権を低レベルに設定する。即ち、このＳ４１０では、上述したＳ１３０の処理と同様に、メモリ３２の記憶エリアのうち、読み書きできる記憶エリアを第１エリア及び第２エリアだけに設定する。尚、以下の説明において、このようにメモリ３２の第１エリア及び第２エリアだけを読み書き可能に設定している状態から、第３エリア及び第４エリアまでも読み書き可能に設定することを、「セキュリティ解除」という。
【００９４】そして、続くＳ４２０にて、メモリ３２から上述したＡＴＲを読み出し、その読み出したＡＴＲを第２出力ポートＤｏｕｔ２から出力する。すると、図８のＪ２５で示したように、そのＡＴＲがリーダ／ライタ８へ送信される。尚、図６には示されていないが、ＡＴＲは、メモリ３２の第１エリア或いは第２エリアに予め記憶されている。
【００９５】そして、続くＳ４３０にて、リーダ／ライタ８からのコマンドを受信したか否かを判断し、コマンドを受信したと判断するまで待機する。そして、このＳ４３０にて、コマンドを受信したと判断すると、Ｓ４４０に進んで、今回受信したコマンドの種別を判断し、そのコマンドが、図８のＪ２６，Ｊ３４に示したデータ読み出しコマンドであると判断するか、或いは図８のＪ３９に示したデータ書き込みコマンドであると判断した場合には、Ｓ４５０に進む。
【００９６】Ｓ４５０では、受信したコマンドによって指定されたメモリ３２の記憶エリアが、読み書き可能であるか否かを判断し、読み書き可能ではないと判断した場合には、Ｓ４３０に戻る。一方、Ｓ４５０にて、受信したコマンドによって指定されたメモリ３２の記憶エリアが、読み書き可能であると判断した場合には、Ｓ４６０に進んで、受信したコマンドがデータ読み出しコマンドであるか否かを判断し、データ読み出しコマンドであると判断した場合には、Ｓ４７０に進む。
【００９７】そして、Ｓ４７０では、受信したデータ読み出しコマンドによって指定されたメモリ３２の記憶エリアから、そのコマンドによって指定されたデータを読み出し、続くＳ４８０にて、その読み出したデータを第２出力ポートＤｏｕｔ２から出力する。すると、図８のＪ２８，Ｊ３６で示したように、読み出したデータがリーダ／ライタ８へ送信される。そして、Ｓ４８０の処理を実行した後、Ｓ４３０に戻る。
【００９８】また、Ｓ４６０にて、受信したコマンドがデータ読み出しコマンドではないと判断した場合、即ちデータ書き込みコマンドであると判断した場合には、Ｓ４９０に移行する。そして、Ｓ４９０では、受信したデータ書き込みコマンドによって指定されたメモリ３２の記憶エリアに、そのコマンドと共に送信されてきたデータを書き込み、続くＳ５００にて、図８のＪ４１に示したように、データの書き込みが終了したことを示す、書き込み終了応答を送信する。そして、Ｓ５００の処理を実行した後、Ｓ４３０に戻る。
【００９９】一方、Ｓ４４０にて、今回受信したコマンドが図８のＪ３１に示したセキュリティ解除のコマンドであると判断した場合には、Ｓ５１０に移行して、そのコマンドと共に送信されてきた暗証番号を確認する。そして、続くＳ５２０にて、受信したリーダ／ライタ８からの暗証番号と自己の暗証番号とを比較し、両者が一致していないと判断した場合には、Ｓ４３０に戻り、両者が一致していると判断した場合には、Ｓ５３０に進む。
【０１００】そして、Ｓ５３０にて、メモリ３２のセキュリティ解除を行い、続くＳ５４０にて、図８のＪ３３に示したように、セキュリティ解除を行った旨を示す解除確認応答を送信した後、Ｓ４３０に戻る。一方更に、Ｓ４４０にて、今回受信したコマンドが図８のＪ４２に示したスリープコマンドであると判断した場合には、Ｓ５５０に移行して、当該ＣＰＵ３０の動作を終了する。そして、これにより、ＩＣカード処理の実行が終了する。
【０１０１】つまり、このＩＣカード処理では、まず、読み書き可能なメモリ３２の記憶エリアを第１エリア及び第２エリアだけに設定してから（Ｓ４１０）、リーダ／ライタ８へ自己の仕様を表すＡＴＲを送信するようにしている（Ｓ４２０）。そして、リーダ／ライタ８からのデータ読み出しコマンドを受信すると（Ｓ４６０：ＹＥＳ）、そのコマンドによって指定されたメモリ３２の記憶エリアから、そのコマンドによって指定されたデータを読み出して（Ｓ４７０）、その読み出したデータをリーダ／ライタ８へ送信し（Ｓ４８０）、また、リーダ／ライタ８からのデータ書き込みコマンドを受信すると（Ｓ４６０：ＮＯ）、そのコマンドによって指定されたメモリ３２の記憶エリアに、そのコマンドと共に送られてきたデータを書き込むようにしているのであるが（Ｓ４９０）、リーダ／ライタ８からセキュリティ解除のコマンドを受けて、且つ、そのコマンドと共に送られてきた暗証番号が自己の暗証番号と一致するまでは、メモリ３２の第３エリア及び第４エリアに対するデータの読み書きは禁止されるようにしている（Ｓ４５０，Ｓ５１０〜Ｓ５３０）。
【０１０２】そして、このような処理実行によって、図８に示したリーダ／ライタ８との通信を実現している。以上説明したように、本第１実施例のＩＣカード２においては、ＣＰＵ３０がリモート処理を実行することにより、送受信アンテナ１８を介して、質問機６との間で無線通信を行い、また、ＣＰＵ３０がＩＣカード処理を実行することにより、受信用静電プレート２４ａ，２４ｂ及び送信用静電プレート２６ａ，２６ｂを介して、リーダ／ライタ８との間で通信を行う。
【０１０３】そして、リモート処理の実行時には、質問機６からのデータ読み出しコマンドに応じて、メモリ３２からデータを読み出し、その読み出したデータを送受信アンテナ１８から送信するようにしており、また、ＩＣカード処理の実行時には、リーダ／ライタ８からのデータ読み出しコマンドに応じて、メモリ３２からデータを読み出し、その読み出したデータを送信用静電プレート２６ａ，２６ｂから送信するようにしている。
【０１０４】ここで特に、本実施例のＩＣカード２では、質問機６及びリーダ／ライタ８との通信時に共通して使用されるメモリ３２の記憶エリアが、第１エリアから第４エリアまでの４つに分けられており、第１エリアから第４エリアの順に、セキュリティレベルの高いデータが記憶されるようにしている。そして、リモート処理が実行される質問機６との通信時には、全体処理（図９）のＳ１３０が実行されることによって、データを読み書きすることのできるメモリ３２の記憶エリアが、セキュリティレベルの低いデータを記憶する第１エリア及び第２エリアだけに制限されるようにしている。
【０１０５】よって、本実施例のＩＣカード２では、機械的な接触が必要であってデータ傍受（電波傍受）の心配が無いリーダ／ライタ８からは、メモリ３２内の様々なデータを読み出すことができるのであるが、データ傍受の可能性がある無線通信によってデータのやり取りを行う質問機６に対しては、仮にメモリ３２の第３エリア及び第４エリアに記憶されたデータを読み出すためのコマンドを受けたとしても、メモリ３２へのアクセスが禁止され、これによって、セキュリティレベルの高いデータが電波で送出されることが防止される。
【０１０６】従って、本実施例のＩＣカード２によれば、セキュリティレベルの高いデータが傍受されてしまうことを完全に防止でき、延いては、送受信アンテナ１８を用いた無線通信（非接触式）による使い易さと、受信用静電プレート２４ａ，２４ｂ及び送信用静電プレート２６ａ，２６ｂを用いた接触通信（接触式）による高いセキュリティ性とを、メモリ３２を共用化した簡素な構成に関わらず実現することができる。」
　
　以上の引用例の記載によれば、引用例には以下の事項が開示されていると認められる。
　
（ａ）引用例の上記（ア）の「本発明は、内部にメモリ等を含むＩＣ（集積回路）を備え、一つの外部機器との間で無線通信によりデータのやり取りを行い、他の外部機器との間で機械的接触によりデータのやり取りを行うように構成された、複合形の情報記憶カード（ＩＣカード）に関するものである。」という記載から、引用例には、内部にメモリを含むＩＣを備えた情報記憶カード（ＩＣカード）が開示されていると認められる。
　さらに、引用例の上記（イ）の「情報記憶カードにおいて、前記メモリには、前記応答データを記憶するための記憶領域が、予め複数の領域に分けて設けられており、更に、前記第１の応答制御手段が前記メモリから応答データを読み出す際に、該第１の応答制御手段が応答データを読み出すことのできる前記メモリ内の記憶領域を、予め定められた特定の記憶領域だけに制限する読出制限手段を備えたこと、を特徴とする情報記憶カードを要旨としている。」（段落００１５）という記載、上記（ウ）の「以下、本発明が適用された実施例のＩＣカードについて説明する。まず、図２は第１実施例のＩＣカード２の内部構成を表すブロック図であり」（段落００４２）という記載、上記（エ）の「本実施例のＩＣカード２において、メモリ３２内の記憶エリア（記憶領域）は、図６に示すように、記憶するデータの重要度（セキュリティレベル）に応じて複数（本実施例では４つ）のエリアに分けられている。そして、メモリ３２の第１エリアには、当該ＩＣカード２を携帯する者の識別コード（ＩＤデータ）として、従業員番号が記憶され、第２エリアには、セキュリティレベルが低いデータとして、当該ＩＣカード２が使用可能な質問機の番号やリーダ／ライタの番号を表すデータが記憶され、第３エリアには、セキュリティレベルが中程度のデータとして、クレジットカードの与信枠やクレジットカードの利用累積額を表すデータが記憶され、第４エリアには、セキュリティレベルが最も高いデータとして、クレジット番号を表すデータが記憶されている。」という記載、及び、上記（カ）の「Ｓ４４０にて、今回受信したコマンドが図８のＪ３１に示したセキュリティ解除のコマンドであると判断した場合には、Ｓ５１０に移行して、そのコマンドと共に送信されてきた暗証番号を確認する。そして、続くＳ５２０にて、受信したリーダ／ライタ８からの暗証番号と自己の暗証番号とを比較し、両者が一致していないと判断した場合には、Ｓ４３０に戻り、両者が一致していると判断した場合には、Ｓ５３０に進む。（中略）そして、Ｓ５３０にて、メモリ３２のセキュリティ解除を行い、続くＳ５４０にて、図８のＪ３３に示したように、セキュリティ解除を行った旨を示す解除確認応答を送信した後、Ｓ４３０に戻る。（中略）リーダ／ライタ８からセキュリティ解除のコマンドを受けて、且つ、そのコマンドと共に送られてきた暗証番号が自己の暗証番号と一致するまでは、メモリ３２の第３エリア及び第４エリアに対するデータの読み書きは禁止されるようにしている（Ｓ４５０，Ｓ５１０〜Ｓ５３０）。」（段落００９９、０１００、０１０１）という記載並びに図２及び図６から、引用例では、ＩＣカードが備える１つのメモリ内に、データを記憶するための記憶領域（データ記憶領域）を４つ（第１エリアないし第４エリア）有しており、複数のデータ記憶領域には、それぞれ、セキュリティレベルが割り振られ、データ記憶領域からのデータの読み書きの際にセキュリティレベルに基づいて制限を設けていることが認められる。
　また、上記（ウ）の「図２及び図３に示すように、ＩＣカード２は、プラスチック製のカード本体１０の内部に、当該ＩＣカード２の制御を司る電子回路を１チップ化したカスタムＩＣ（専用ＩＣ）１２（中略）を備えている。（中略）図２に示すように、カスタムＩＣ１２は、質問機６及びリーダ／ライタ８との間で通信を行うための様々な制御処理を実行するＣＰＵ３０と、質問機６及びリーダ／ライタ８からのデータ要求に対して出力すべき応答データを記憶する不揮発性メモリ（以下、単にメモリという）３２（中略）を備えている。」（段落００４４〜００４５）という記載及び図２から、引用例のＩＣカードは、様々な制御処理を実行するＣＰＵをメモリとともに備えていることが認められる。
　したがって、引用例には、１つのメモリ内に、読み書きを制限するためのセキュリティレベルがそれぞれに割り振られたデータ記憶領域である第１エリアないし第４エリアを有し、様々な制御処理を実行するＣＰＵを備えたＩＣカードが開示されていると認められる。
　
（ｂ）引用例の上記（エ）の「メモリ３２の第１エリアには、当該ＩＣカード２を携帯する者の識別コード（ＩＤデータ）として、従業員番号が記憶され」という記載、上記（オ）の「ＩＣカード２がドア４の入退管理システムに用いられた場合について説明する。（中略）このリモート処理の実行が開始されることにより、ＩＣカード２は、まず、送受信アンテナ１８からＩＤデータとしての従業員番号を送信する（Ｊ５）。（中略）次に、ＩＣカード２が、クレジットカードとして用いられた場合について説明する。（中略）リーダ／ライタ８は、ＩＣカード２からのＡＴＲを受信すると、ＩＣカード２へ、従業員番号及びそのカードが使用可能なリーダ／ライタの番号を表すデータを要求するための、データ読み出しコマンドを送信する（Ｊ２６）。尚、このデータ読み出しコマンドも、ドア４の入退管理の場合と同様に、取得したいデータと、そのデータが格納されているメモリ３２内の記憶エリアとを指定するものである。（中略）ＩＣカード２側において、ＣＰＵ３０は、メモリ３２から従業員番号を表すデータと使用可能なリーダ／ライタの番号を表すデータを読み出し（Ｊ２７）、その読み出したデータを、ＡＴＲの場合と全く同様に、送信用静電プレート２６ａ，２６ｂから送信させる（Ｊ２８）。」（段落００５３、００５６、００６４、００６８、００７０）という記載、及び、上記（カ）の「当該ＩＣカード２が質問機６及びリーダ／ライタ８との間で図７及び図８に示したような通信を行うために、ＣＰＵ３０で実行される制御処理について、図９〜図１１に示すフローチャートを用いて説明する。尚、図９は、ＣＰＵ３０が実行する全体処理を表すフローチャートである。そして、図１０は、その全体処理の中で実行されるリモート処理を表すフローチャートであり、図１１は、全体処理の中で実行されるＩＣカード処理を表すフローチャートである。（中略）第１の応答制御手段としてのリモート処理（Ｓ１４０）は、図１０に示す如く実行される。（中略）Ｓ２３０では、メモリ３２の第１エリアから、ＩＤデータとしての従業員番号を読み出し、その読み出したＩＤデータを第１出力ポートＤｏｕｔ１から出力する。すると、図７のＪ５で示したように、その従業員番号が質問機６へ送信される。（中略）第２の応答制御手段としてのＩＣカード処理（Ｓ１６０）は、図１１に示す如く実行される。（中略）」（段落００７８、００８２、００８４、００９３、００９９、０１００、０１０１）という記載並びに図７，８，１０，１１から、ＩＣカードのメモリ内の第１エリアに記憶されたデータ（識別コード（ＩＤデータ）としての従業員番号）は、ドアの入退管理システムという用途においてＣＰＵが実行するリモート処理によって読み出され、さらに、ＩＣカードが、クレジットカードとして用いられた場合にも、ＣＰＵが実行するＩＣカード処理によって読み出されているものと認められる。
　また、上記（エ）の「本実施例のＩＣカード２において、メモリ３２内の記憶エリア（記憶領域）は、図６に示すように、記憶するデータの重要度（セキュリティレベル）に応じて複数（本実施例では４つ）のエリアに分けられている。」という記載及び図６から、第１エリアないし第４エリアには、データの重要度に応じたセキュリティレベルが設定されていると認められる。
　さらに、上記（カ）の「Ｓ４４０にて、今回受信したコマンドが図８のＪ３１に示したセキュリティ解除のコマンドであると判断した場合には、Ｓ５１０に移行して、そのコマンドと共に送信されてきた暗証番号を確認する。そして、続くＳ５２０にて、受信したリーダ／ライタ８からの暗証番号と自己の暗証番号とを比較し、両者が一致していないと判断した場合には、Ｓ４３０に戻り、両者が一致していると判断した場合には、Ｓ５３０に進む。（中略）そして、Ｓ５３０にて、メモリ３２のセキュリティ解除を行い、続くＳ５４０にて、図８のＪ３３に示したように、セキュリティ解除を行った旨を示す解除確認応答を送信した後、Ｓ４３０に戻る。（中略）リーダ／ライタ８からセキュリティ解除のコマンドを受けて、且つ、そのコマンドと共に送られてきた暗証番号が自己の暗証番号と一致するまでは、メモリ３２の第３エリア及び第４エリアに対するデータの読み書きは禁止されるようにしている（Ｓ４５０，Ｓ５１０〜Ｓ５３０）。」（段落００９９、０１００、０１０１）という記載から、第１エリアないし第４エリアにそれぞれ設定されたセキュリティレベルに応じて、データの読み書きが制限されていることが認められる。
　したがって、引用例に記載のＩＣカードでは、第１エリアに記憶されたデータ（識別コード（ＩＤデータ）としての従業員番号）は、ドアの入退管理システムという用途においてＣＰＵが実行するリモート処理によって、第１エリアに設定されたセキュリティレベルに応じて読み出され、さらに、ＩＣカードが、クレジットカードとして用いられた場合においてＣＰＵが実行するＩＣカード処理によって、第１エリアに設定されたセキュリティレベルに応じて読み出されているものと認められる。
　
（ｃ）引用例の上記（エ）の「メモリ３２の第１エリアには、当該ＩＣカード２を携帯する者の識別コード（ＩＤデータ）として、従業員番号が記憶され、第２エリアには、セキュリティレベルが低いデータとして、当該ＩＣカード２が使用可能な質問機の番号やリーダ／ライタの番号を表すデータが記憶され」という記載、上記（オ）の「ＩＣカード２がドア４の入退管理システムに用いられた場合について説明する。（中略）このリモート処理の実行が開始されることにより、ＩＣカード２は、まず、送受信アンテナ１８からＩＤデータとしての従業員番号を送信する（Ｊ５）。（中略）ＩＣカード２側において、ＣＰＵ３０は、メモリ３２から使用可能な質問機の番号を表すデータを読み出し（Ｊ７）、その読み出したデータを、ＩＤデータの場合と全く同様に、送受信アンテナ１８から送信させる（Ｊ８）。（中略）次に、ＩＣカード２が、クレジットカードとして用いられた場合について説明する。（中略）リーダ／ライタ８は、ＩＣカード２からのＡＴＲを受信すると、ＩＣカード２へ、従業員番号及びそのカードが使用可能なリーダ／ライタの番号を表すデータを要求するための、データ読み出しコマンドを送信する（Ｊ２６）。尚、このデータ読み出しコマンドも、ドア４の入退管理の場合と同様に、取得したいデータと、そのデータが格納されているメモリ３２内の記憶エリアとを指定するものである。（中略）ＩＣカード２側において、ＣＰＵ３０は、メモリ３２から従業員番号を表すデータと使用可能なリーダ／ライタの番号を表すデータを読み出し（Ｊ２７）、その読み出したデータを、ＡＴＲの場合と全く同様に、送信用静電プレート２６ａ，２６ｂから送信させる（Ｊ２８）。」（段落００５３、００５６、００５８、００６４、００６８、００７０）という記載、及び、上記（カ）の「当該ＩＣカード２が質問機６及びリーダ／ライタ８との間で図７及び図８に示したような通信を行うために、ＣＰＵ３０で実行される制御処理について、図９〜図１１に示すフローチャートを用いて説明する。尚、図９は、ＣＰＵ３０が実行する全体処理を表すフローチャートである。そして、図１０は、その全体処理の中で実行されるリモート処理を表すフローチャートであり、図１１は、全体処理の中で実行されるＩＣカード処理を表すフローチャートである。（中略）第２の応答制御手段としてのＩＣカード処理（Ｓ１６０）は、図１１に示す如く実行される。」（段落００７８、００９３）という記載並びに図７，８，１０，１１から、引用例に記載のＩＣカードのメモリ内の第２エリアに記憶されたデータ（使用可能な質問機の番号やリーダ／ライタの番号を表すデータ）は、ドアの入退管理システムという用途においてＣＰＵが実行するリモート処理によって読み出され、さらに、ＩＣカードが、クレジットカードとして用いられた場合にも、ＣＰＵが実行するＩＣカード処理によって読み出されているものと認められる。
　また、上記（エ）の「本実施例のＩＣカード２において、メモリ３２内の記憶エリア（記憶領域）は、図６に示すように、記憶するデータの重要度（セキュリティレベル）に応じて複数（本実施例では４つ）のエリアに分けられている。」という記載及び図６から、第１エリアないし第４エリアには、データの重要度に応じたセキュリティレベルが設定されていると認められる。
　さらに、上記（カ）の「Ｓ４４０にて、今回受信したコマンドが図８のＪ３１に示したセキュリティ解除のコマンドであると判断した場合には、Ｓ５１０に移行して、そのコマンドと共に送信されてきた暗証番号を確認する。そして、続くＳ５２０にて、受信したリーダ／ライタ８からの暗証番号と自己の暗証番号とを比較し、両者が一致していないと判断した場合には、Ｓ４３０に戻り、両者が一致していると判断した場合には、Ｓ５３０に進む。（中略）そして、Ｓ５３０にて、メモリ３２のセキュリティ解除を行い、続くＳ５４０にて、図８のＪ３３に示したように、セキュリティ解除を行った旨を示す解除確認応答を送信した後、Ｓ４３０に戻る。（中略）リーダ／ライタ８からセキュリティ解除のコマンドを受けて、且つ、そのコマンドと共に送られてきた暗証番号が自己の暗証番号と一致するまでは、メモリ３２の第３エリア及び第４エリアに対するデータの読み書きは禁止されるようにしている（Ｓ４５０，Ｓ５１０〜Ｓ５３０）。」（段落００９９、０１００、０１０１）という記載から、第１エリアないし第４エリアにそれぞれ設定されたセキュリティレベルに応じて、データの読み書きが制限されていることが認められる。
　したがって、引用例に記載のＩＣカードでは、第２エリアに記憶されたデータ（使用可能な質問機の番号やリーダ／ライタの番号を表すデータ）は、ドアの入退管理システムという用途においてＣＰＵが実行するリモート処理によって、第２エリアに設定されたセキュリティレベルに応じて読み出され、さらに、ＩＣカードが、クレジットカードとして用いられた場合においてＣＰＵが実行するＩＣカード処理によって、第２エリアに設定されたセキュリティレベルに応じて読み出されているものと認められる。
　
　以上の引用例の記載によれば、引用例には下記の発明（以下、「引用発明」という。）が開示されていると認められる。
　
「１つのメモリ内に、読み取りを制限するためのセキュリティレベルがそれぞれに割り振られたデータ記憶領域である第１エリアないし第４エリアを有し、様々な制御処理を実行するＣＰＵを備えたＩＣカードであって、
　第１エリアに記憶されたデータ（識別コード（ＩＤデータ）としての従業員番号）は、ドアの入退管理システムという用途においてＣＰＵが実行するリモート処理によって、第１エリアに設定されたセキュリティレベルに応じて読み出され、さらに、ＩＣカードが、クレジットカードとして用いられた場合においてＣＰＵが実行するＩＣカード処理によって、第１エリアに設定されたセキュリティレベルに応じて読み出され、
　第２エリアに記憶されたデータ（使用可能な質問機の番号やリーダ／ライタの番号を表すデータ）は、ドアの入退管理システムという用途においてＣＰＵが実行するリモート処理によって、第２エリアに設定されたセキュリティレベルに応じて読み出され、さらに、ＩＣカードが、クレジットカードとして用いられた場合においてＣＰＵが実行するＩＣカード処理によって、第２エリアに設定されたセキュリティレベルに応じて読み出される
ＩＣカード。」
　
（３）対比
　そこで、本願補正発明と引用発明とを対比する。
　
（Ａ）データの読み書きは、データへのアクセスに他ならず、アクセス条件は、データの読み書きの制限条件を明らかに含むから、引用発明の「読み書きを制限するためのセキュリティレベル」は、本願補正発明の「アクセス条件」に、対応するといえる。
　引用発明の「データ記憶領域である第１エリアないし第４エリア」は、少なくともデータ記憶領域である第１エリアと、データ記憶領域である第２エリアを有しており、それぞれ、本願補正発明の「第１のデータ・メモリ・エリア」と「第２のデータ・メモリ・エリア」に対応する。
　また、一般に、単にデータを記憶するＩＣカードを半導体メモリカードやデータカードと呼ぶのに対して、メモリの他にＣＰＵ等の制御装置を備えて、制御処理を行うＩＣカードを、特に、スマート・カードと呼ぶことから、引用発明のＩＣカードも様々な制御処理を実行するＣＰＵを備えていることから、スマート・カードであるといえる。
　したがって、引用発明も、本願補正発明と同様に、１つのメモリ内に、アクセス条件がそれぞれに割り振られた少なくとも第１のデータ・メモリ・エリアと第２のデータ・メモリ・エリアを有するスマート・カードであるといえる。
　
（Ｂ）引用発明の「第１エリア」、「第１エリアに記憶されたデータ（識別コード（ＩＤデータ）としての従業員番号）」は、本願補正発明の「第１のデータ・メモリ・エリア」、「第１のデータ・メモリ・エリアに記憶されたデータ・オブジェクト」に、それぞれ対応する。
　また、引用発明の「ドアの入退管理システムという用途においてＣＰＵが実行するリモート処理」及び「クレジットカードとして用いられた場合においてＣＰＵが実行するＩＣカード処理」は、いずれも、ＣＰＵが実行するプログラムであり、ドアの入退管理あるいはクレジットカードといったアプリケーション用のプログラムであるから、複数のアプリケーション・プログラムであるといえる。
　さらに、引用発明の第１エリアには、１つのセキュリティレベルが設定され、当該設定されたセキュリティレベルに応じて、いずれの用途のプログラムにおいてもデータが読み出されているから、同じアクセス条件で第１エリアをアクセスしているといえる。
　よって、引用発明も、本願補正発明と同様に、第１のデータ・メモリ・エリアに記憶されたデータ・オブジェクトは、アプリケーション・プログラムに関係なく複数のアプリケーションによって、同じアクセス条件でアクセスされているといえる。
　ただし、本願補正発明の第１のデータ・メモリ・エリアに記憶されたデータ・オブジェクトは、一のユーザによってアクセスされているのに対して、引用発明では、一のユーザによってアクセスされているのか否か不明な点で相違している。
　
（Ｃ）引用発明の「第２エリア」、「第２エリアに記憶されたデータ（使用可能な質問機の番号やリーダ／ライタの番号を表すデータ）」は、本願補正発明の「第２のデータ・メモリ・エリア」、「第２のデータ・メモリ・エリアに記憶されたデータ・オブジェクト」に、それぞれ対応する。
　また、引用発明の「ドアの入退管理システムという用途においてＣＰＵが実行するリモート処理」及び「クレジットカードとして用いられた場合においてＣＰＵが実行するＩＣカード処理」は、いずれも、ＣＰＵが実行するプログラムであり、ドアの入退管理あるいはクレジットカードといったアプリケーション用のプログラムであるから、複数のアプリケーション・プログラムであるといえる。
　さらに、引用発明の第２エリアには、１つのセキュリティレベルが設定され、当該設定されたセキュリティレベルに応じて読み出されているから、同じアクセス条件で第２エリアをアクセスしているといえる。
　よって、引用発明も、本願補正発明と同様に、第２のデータ・メモリ・エリアに記憶されたデータ・オブジェクトは、アプリケーション・プログラムに関係なく複数のアプリケーションによって、同じアクセス条件でアクセスされているといえる。
　ただし、本願補正発明の第２のデータ・メモリ・エリアに記憶されたデータ・オブジェクトは、スマート・カード・ユーザに関係なく複数のユーザによってアクセスされているのに対して、引用発明では、スマート・カード・ユーザに関係なく複数のユーザによってアクセスされているのか否か不明な点で相違している。
　
　したがって、両者は、
「１つのメモリ内に、アクセス条件がそれぞれに割り振られた少なくとも第１のデータ・メモリ・エリアと第２のデータ・メモリ・エリアを有するスマート・カードであって、
　第１のデータ・メモリ・エリアに記憶されたデータ・オブジェクトは、アプリケーション・プログラムに関係なく複数のアプリケーションによって、同じアクセス条件でアクセスされ、
　第２のデータ・メモリ・エリアに記憶されたデータ・オブジェクトは、アプリケーション・プログラムに関係なく複数のアプリケーションによって、同じアクセス条件でアクセスされている
スマート・カード。」
の点で一致し、以下の点で相違している。
　
（相違点１）本願補正発明の第１のデータ・メモリ・エリアに記憶されたデータ・オブジェクトは、一のユーザによってアクセスされているのに対して、引用発明では、一のユーザによってアクセスされているのか否か不明な点。
　
（相違点２）本願補正発明の第２のデータ・メモリ・エリアに記憶されたデータ・オブジェクトは、スマート・カード・ユーザに関係なく複数のユーザによってアクセスされているのに対して、引用発明では、スマート・カード・ユーザに関係なく複数のユーザによってアクセスされているのか否か不明な点。
　
（４）判断
　
（相違点１について）
　ＩＣカードの技術分野において、個人識別番号の照合が行われた後にのみ、当該個人識別番号を有する一のユーザによってアクセス可能なメモリ領域を有するＩＣカードは、本願の出願日前に周知である（例えば、特開昭６３−７６０３６号公報を参照されたい。）。
　したがって、引用発明において、当該周知技術を採用して、第１のデータ・メモリ・エリアに記憶されたデータ・オブジェクトにアクセスする際に、一のユーザによってアクセスされる構成とすることは、当業者が容易に想到し得たものである。
　
（相違点２について）
　　ＩＣカードの技術分野において、個人識別番号の照合が行われた後のみ、当該個人識別番号を有する一のユーザによってアクセス可能なメモリ領域に加えて、外部からユーザに関係なく複数のユーザからアクセス可能なメモリ領域を有するＩＣカードは、本願の出願日前に周知である（例えば、特開昭６３−７６０３６号公報を参照されたい。）。
　したがって、引用発明において、当該周知技術を採用して、第２のデータ・メモリ・エリアに記憶されたデータ・オブジェクトにアクセスする際に、スマート・カード・ユーザに関係なく複数のユーザによってアクセスされる構成とすることは、当業者が容易に想到し得たものである。
　
　また、本願補正発明の効果についてみても、上記構成の採用に伴って、当然に予測される程度のものに過ぎず、格別顕著なものがあるとは認められない。
　
　したがって、本願補正発明は、引用例に記載された発明及び周知の技術に基づいて、当業者が容易に発明をすることができたものであるから、特許法第２９条第２項の規定により特許出願の際独立して特許を受けることができないものである。
　
（５）むすび
　以上のとおり、本件補正は、平成１８年改正前特許法第１７条の２第５項において準用する同法第１２６条第５項の規定に違反するので、同法第１５９条第１項の規定において読み替えて準用する同法第５３条第１項の規定により却下すべきものである。
　
３．本願発明について
　平成１７年２月２１日付の手続補正は上記のとおり却下されたので、本願の請求項２に係る発明（以下、「本願発明」という。）は、平成１６年２月１３日付の手続補正書の特許請求の範囲の請求項２に記載された事項により特定される、以下のとおりのものである。
　
「１つのメモリ内にデータ・メモリ・エリア（１１０、１２０）を有するスマート・カード（１００）にして、
　アプリケーション・プログラム（３１０、３２０、３３０）に関係なく、又は、アプリケーション・プログラム及びスマート・カード・ユーザ（４００）に関係なく、同じアクセス条件を持ったすべてのデータ・オブジェクトが、対応するアクセス条件を割り振られた１つの同じデータ・メモリ・エリアに記憶されていることを特徴とする、スマート・カード。」
　
　（１）引用例
　原査定の拒絶の理由に引用された引用例及びその記載事項は、前記「２．（２）」に記載したとおりである。　
　
　（２）対比・判断
　本願発明は、前記２．で検討した本願補正発明から、請求項２の発明特定事項である「データ・メモリ・エリア」について、「アクセス条件がそれぞれに割り振られた少なくとも第１のデータ・メモリ・エリアと第２のデータ・メモリ・エリア」との限定を削除し、発明特定事項である「アプリケーション・プログラム（３１０、３２０、３３０）に関係なく、又は、アプリケーション・プログラム及びスマート・カード・ユーザ（４００）に関係なく、同じアクセス条件を持ったすべてのデータ・オブジェクトが、対応するアクセス条件を割り振られた１つの同じデータ・メモリ・エリアに記憶されていること」について、「前記第１のデータ・メモリ・エリアに記憶されたデータ・オブジェクトは、一のユーザによって且つアプリケーション・プログラム（３１０、３２０、３３０に関係なく複数のアプリケーションによって、同じアクセス条件でアクセスされ、及び、前記第２のデータ・メモリ・エリアに記憶されたデータ・オブジェクトは、アプリケーション・プログラム及びスマート・カード・ユーザ（４００）に関係なく複数のユーザ及び複数のアプリケーションによって同じアクセス条件でアクセスされること」との限定を削除したものである。
　そうすると、本願発明に限定を付加した本願補正発明が、前記２．（４）に記載したとおり、引用例に記載された発明及び周知技術に基づいて、当業者が容易に発明をすることができたものであるから、本願補正発明から限定を取り除いた本願発明も同様の理由により、引用例に記載された発明及び周知技術に基づいて、当業者が容易に発明をすることができたものである。　
　
　（３）むすび
　以上のとおりであるから、本願発明は、引用例に記載された発明及び周知技術に基づいて当業者が容易に発明をすることができたものであり、特許法第２９条第２項の規定により特許を受けることができない。
　したがって、本願は、他の請求項について特に検討するまでもなく、拒絶されるべきものである。
　よって、結論のとおり審決する。